(57)【特許請求の範囲】
【請求項１】
水の流れを断続させる栓ユニット部と、前記栓ユニット部を操作する操作ロッドと、前記操作ロッドを上下に駆動させる弁の開閉装置とを具備し、前記栓ユニット部は、ユニット本体の側部に形成された流入口と、流出口と、前記流入口及び流出口間に設けられた通水路と、前記操作ロッドに接続されて上下に移動するノズルに取り付けられ、前記通水路を閉塞する弁と、前記ユニット本体に前記ノズルの下に配置されるように収納され、上部に第１のリングパッキンを有する止水弁と、前記第１のリングパッキンより受圧面積が小さく、前記止水弁の下部に当接される第２のリングパッキンと、前記ユニット本体に前記止水弁の下に配置されるように収納され、補修時に前記ノズルを抜き取った後、前記止水弁を押し上げて流路を遮断するための押し上げる手段とを備えたことを特徴とする水抜栓。
【請求項２】
水の流れを断続させる栓ユニット部と、前記栓ユニット部を操作する操作ロッドと、前記操作ロッドを上下に駆動させる弁の開閉装置とを具備し、前記栓ユニット部は、ユニット本体の側部に形成された流入口と、流出口と、前記流入口及び流出口間に設けられた通水路と、前記操作ロッドに接続されて上下に移動するノズルに取り付けられ、前記通水路を閉塞する弁と、前記ユニット本体に前記ノズルの下に配置されるように収納され、補修時に前記ノズルを抜き取った後、前記通水路を閉塞して水の流れを断つ止水弁と、前記ユニット本体に前記止水弁の下に配置されるように収納され、前記補修時に前記止水弁を押し上げる手段と、前記ノズルに取り付けられ、且つ前記流入口及び流出口間に設けられた通水路に配置され、断水時等に前記流出口側からの水が前記流入口側へ逆流するのを防ぐ逆止弁と、前記逆止弁を所定の位置に押し付ける手段とを備えたことを特徴とする水抜栓。
【請求項３】
前記ユニット本体の前記流出口より上部には水抜時に前記流出口側からの水を排水する排水口が形成され、前記排水口には前記ノズル内に球弁を設けたことを特徴とする請求項１又は請求項２に記載の水抜栓。
【請求項４】
前記弁の開閉装置は、側面に縦スリットが形成された方形筒状のカバーと、前記カバーに収容され、前記カバー底部において前記操作ロッドに接続される下端部を有するピストンと、前記カバー内において前記ピストンを上下に移動させるレバーと、前記ピストンに固定され、前記レバーの移動を阻止するように前記レバーの握りとは反対の端部を押圧するスプリングとを備え、前記ピストンは、断面形状が方形で、その内部底面に平行な溝とこの溝に交差する内部側面に平行な溝とを有しており、前記レバーには前記握りとは反対側の端部に近い第１の穴とこの第１の穴より前記レバーの前記握り部に近い第２の穴がほぼ縦列に配置されており、前記第１の穴には前記ピストンの前記内部底面に平行な溝を摺動し、前記カバーに固定されていないピンが取り付けられ、前記第２の穴には前記内部側面に平行な溝が摺動すべく前記カバーに固定されたピンが取り付けられており、前記レバーを前記スプリングの押圧力に抗して前記縦スリットに沿って下に押し下げると、前記第１の穴に取り付けられたピンが前記内部底面に平行な溝を摺動し、前記第２の穴に取り付けられたピンにより前記内部側面に平行な溝が摺動して、前記ピストンを前記カバー内において上方に押し上げることを特徴とする請求項１乃至請求項３のいずれかに記載の水抜栓。
【発明の詳細な説明】
【０００１】
【発明の属する技術分野】
本発明は、凍結防止用水抜栓に関するものである。
【０００２】
【従来の技術】
寒冷地における水道システムには、凍結防止用の水抜栓などが水道管に接続されている。図１０を参照して従来の水抜栓の一例を説明する。図１０は、水抜栓の正面断面図である。操作ロッド１１１を上下に駆動する弁の開閉装置（図示しない）は、水抜栓の上部に取り付けられている。弁の開閉装置は、接続継手（図示しない）を介し水抜栓内部の操作ロッド１１１に接続されている。弁の開閉装置を操作することにより、操作ロッド１１１は、押し下げられ、又は引き上げられる。外筒１１０に覆われた操作ロッド１１１が最下位に押し下げられると（図１０に示す状態）、流入口１１３と流出口１１９とは通水路１１５を介して通じているので、通水（開栓）状態になる。そして、この操作ロッド１１１が上方に引き上げられると、最初に、操作ロッド１１１の下方に位置する弁１１４に装着したパッキン１１８により通水路１１５が塞がれて通水を停止する（閉栓）。続いて、さらに操作ロッド１１１が最上位まで引き上げられると、弁１１４上方に位置するリングパッキン１２１により塞がれていた流出口１１９から排水口１２０に通じる水抜き通水路が開き、流出口１１９に接続される二次側配管の水は、流出口１１９から水抜き通水路を経て排水口１２０より排水される。
【０００３】
水抜栓は、栓ユニット部と、その上方に配した操作ロッド１１１と、操作ロッド１１１を操作する弁の開閉装置（図示しない）とから構成されている。水抜栓の上部に構成された弁の開閉装置は、栓ユニット部における通水を制御する操作ロッド１１１を操作するものであり、操作ロッド１１１の上部先端に取り付けられている。また、操作ロッド１１１は、筒状の外筒１１０に収納されている。
栓ユニット部は、排水口１２０を有する逆止弁本体１１６及び回転胴１０４に設けられた流出口１１９を有し、外筒１１０の下端に固定された筒状の本体１０１と、本体１０１の下端に取り付けられ、流入口１１３を有するエルボ１０２から構成されている。流入口１１３の内部には通水路１１５への水の流れを止める止水弁１０５が設けられている。
【０００４】
流入口１１３は、エルボ１０２に形成され、垂直に立つ水抜栓に対して水平に突出しているニップル１０３に設けられており、止水弁１０５が存在するのでその分突出度が大きくなっている。また、流出口１１９を有する回転胴１０４は、本体１０１に取り付けられており、同じく水平に突出している。さらに、排水口１２０には球弁（逆止弁）１２９及び逆止弁蓋１１７を有する逆止弁本体１１６が設けられており、同様に水平に突出している。
操作ロッド１１１には栓ユニット部を上下するノズル１０７、１０８が取り付けられており、ノズル１０８に設けられた弁１１４及びリングパッキン１１８によって通水路１１５が塞がれるように構成されている。
【０００５】
【発明が解決しようとする課題】
水抜栓は、水道管に接続されている。水は、この水抜栓に流入口から入り、通水路を通って、流出口から流れ出る。従来の水抜栓は、図１０に示すように、流入口から通水路を通って流出口に至る流路の中に止水弁が置かれている。そのため、水抜栓の横に突出する部分が大きくなり、しかも損失水頭が高くなる。また、逆止弁を備えた排水口も水抜栓の横に設けられるので水抜栓が大きくなることは免れない。
図１０に示す従来の水抜栓は、リングパッキン式である。リングパッキン式の水抜栓は、その構造からリングパッキン（図１０の１１８、１２１）の交換が適宜必要となる。このようなパッキン交換には操作ロッドにつながるノズルを含む一式を抜かなければならない。このような交換時には止水弁等により止水しないと通水路の水が噴出するので、従来の水抜栓では、止水弁などを予め内蔵させておいて、水圧を利用して一時止水ができるように工夫をしている。図１０の従来例は、止水弁を用いている。
【０００６】
しかし、このような止水弁を内蔵すると、（１）  水抜栓が大きくなる、（２）  水路中に障害物が介在するので損失水頭が大きくなる、（３）  水圧を利用した止水弁なので、止水の安定性に欠ける可能性が高い、という問題があった。水抜栓は、水道管に接続されている。水は、この水抜栓に流入口から入り、通水路を通って、流出口から流れ出る。従来の水抜栓は、図１０に示すように、流入口から通水路を通って流出口に至る流路の中に止水弁が置かれている。そのため、水抜栓の横に突出する部分が大きくなり、しかも損失水頭が高くなるという問題があった。また、逆止弁を備えた排水口も水抜栓の側面から突出して設けられるので水抜栓が大きくなることは免れないという問題がある。
本発明は、このような事情によりなされたものであり、損失水頭が小さく、止水の安定性が高い小形化された水抜栓を提供する。
【０００７】
【課題を解決するための手段】
このような課題を解決するために、本発明の水抜栓は、水の流れを断続させる栓ユニット部と、前記栓ユニット部を操作する操作ロッドと、前記操作ロッドを上下に駆動させる弁の開閉装置とを具備し、前記栓ユニット部は、ユニット本体の側部に形成された流入口と、流出口と、前記流入口及び流出口間に設けられた通水路と、前記操作ロッドに接続されて上下に移動するノズルに取り付けられ、前記通水路を閉塞する弁と、前記ユニット本体に前記ノズルの下に配置されるように収納され、補修時に前記ノズルを抜き取った後、前記通水路を閉塞して水の流れを断つ止水弁と、前記ユニット本体に前記止水弁の下に配置されるように収納され、前記補修時に前記止水弁を押し上げる手段とを備えたことを特徴としている。
【０００８】
また、本発明の水抜栓は、水の流れを断続させる栓ユニット部と、前記栓ユニット部を操作する操作ロッドと、前記操作ロッドを上下に駆動させる弁の開閉装置とを具備し、前記栓ユニット部は、ユニット本体の側部に形成され、流入口と、流出口と、前記流入口及び流出口間に設けられた通水路と、前記操作ロッドに接続されて上下に移動するノズルに取り付けられ、前記通水路を閉塞する弁と、前記ユニット本体に前記ノズルの下に配置されるように収納され、上部に第１のリングパッキンを有する止水弁と、前記第１のリングパッキンより受圧面積が小さく、前記止水弁の下部に当接される第２のリングパッキンと、前記ユニット本体に前記止水弁の下に配置されるように収納され、補修時に前記ノズルを抜き取った後、前記止水弁を押し上げて流路を遮断するための押し上げる手段とを備えたことを特徴としている。前記ユニット本体の前記流出口より上部には水抜時に前記流出口側からの水を排水する排水口が形成され、前記排水口には前記ノズル内に球弁を設けるようにしても良い。止水弁を押し上げる手段及び逆止弁を押し付ける手段は、コイルや板バネなどのスプリング、弾性体あるいは磁性体などを用いることができる。
【０００９】
また、本発明の水抜栓に用いる前記弁の開閉装置は、側面に縦スリットが形成された方形筒状のカバーと、前記カバーに収容され、前記カバー底部において前記操作ロッドに接続される下端部を有するピストンと、前記カバー内において前記ピストンを上下に移動させるレバーと、前記ピストンに固定され、前記レバーの移動を阻止するように前記レバーの握りとは反対の端部を押圧するスプリングとを備え、前記ピストンは、断面形状が方形で、その内部底面に平行な溝とこの溝に交差する内部側面に平行な溝とを有しており、前記レバーには前記握りとは反対側の端部に近い第１の穴とこの第１の穴より前記レバーの前記握り部に近い第２の穴がほぼ縦列に配置されており、前記第１の穴には前記ピストンの前記内部底面に平行な溝を摺動し、前記カバーに固定されていないピンが取り付けられ、前記第２の穴には前記内部側面に平行な溝が摺動すべく前記カバーに固定されたピンが取り付けられており、前記レバーを前記スプリングの押圧力に抗して前記縦スリットに沿って下に押し下げると、前記第１の穴に取り付けられたピンが前記内部底面に平行な溝を摺動し、前記第２の穴に取り付けられたピンにより前記内部側面に平行な溝が摺動して前記ピストンを前記カバー内において上方に押し上げることを特徴としている。
【００１０】
従来の水抜栓は、流路途中に止水弁が設置されていたので、ユニット本体の形状が大きくなり、且つ損失水頭も高かったが、本発明によれば流路に影響の少ないところに止水弁が設置されているので、本体形状がスリムになり、しかも損失水頭が低くなる。また、止水弁に弾性体などのリングパッキンを用い、且つ、止水弁を押し上げる手段をも備えているので止水性を高くすることができる。さらに、本発明では、弁の開閉装置の部品点数が少なくなり、操作性が向上し、組み立ての容易性を含めてコストが低減し、また、操作レバーとピストンとを収納するカバーをピストンと断面形状を方形合せにすることにより横振れを無くして操作の安定性を向上させることができる。
【００１１】
【発明の実施の形態】
以下、図面を参照して発明の実施の形態を説明する。
まず、図１乃至図４を参照して第１の実施例を説明する。
図１は、本発明の第１の実施例に係わる水抜栓の正面断面図、図２は、図１の水抜栓の通水時における部分正面断面図、図３は、図１の水抜栓の水抜時における部分正面断面図、図４は、図１の水抜栓の補修時における部分正面断面図である。水抜栓は、水の流れを断続させる栓ユニット部と、この栓ユニット部を操作する操作ロッド２７と、前記操作ロッド２７を上下に駆動する弁の開閉装置２９とから構成されている。操作ロッド２７を上下に駆動する弁の開閉装置２９は、水抜栓上部に取り付けられている。この実施例では、弁の開閉装置として上下動するレバー１５を用いる（図１参照）。操作ロッド２７は、外筒２８に覆われている。
【００１２】
栓ユニット部は、外筒２８に嵌合され、排水口２５及び流出口１３を備えた筒状の回転本体２と、回転本体２に嵌合され、通水路２６及び流入口７を備えた筒状の本体１と、本体１に嵌合され、止水弁５及びスプリング９を収納するキャップ６とを備えている。操作ロッド２７の先端には第１のノズル４及びリングパッキン１０を有する弁を備えた第２のノズル３が接続されている。
弁の開閉装置２９は、接続継手４３を介し水抜栓の操作ロッド２７に接続されている。弁の開閉装置２９を操作することにより、操作ロッド２７は、押し下げられ、又は引き上げられる。
まず、操作ロッド２７が引き下げられると（図２に示す状態）、流入口７と流出口１３とは通水路２６を介して通じているので、通水（開栓）状態になる。この状態は、図１に示すレバー１５を上に引き上げて達成される。そして、操作ロッド２７が上方に引き上げられる（レバー１５を下ろした図１に示す状態）と、操作ロッド２７の下方に装着したリングパッキン１０を有する弁により通水路２６が塞がれて通水を停止する（閉栓）。
【００１３】
図３は、その時の水のながれ状態を説明している。図３に示すように、流入口７から入って通水路２６を通り流出口１３に抜ける水の流れは、リングパッキン１０を有する弁が流路を塞ぐことにより、流入口７に入った水はそこで止まる。そして、流出口１３から流出した水は、流出口１３から回転本体２を上方に流れて、球弁（逆止弁）１２を押して砂止めカバー１４に覆われた排水口２５から流出する。次に、操作ロッド２７が引き下げられると（レバー１５を上げた状態）、リングパッキン１０を有する弁が開き、逆に排水口２５が閉塞されて水抜栓の中に流路が形成され、流入口７から通水路２６を通して流出口１３に水が流れる通水状態となる（図２参照）。
【００１４】
図４は、この水抜栓の補修時の状態を示している。図４に示すように、リングパッキン式の水抜栓は、パッキンの交換時には操作ロッドにつながるノズルを含む一式を抜かなければならない。このような交換時にノズルを引き抜くと、止水弁５は、その下に収められたスプリング９（止水弁を押し上げ手段）の力によって上に押し上げられて、本体１に取り付けたカラーに嵌合し、流路を遮断する。さらに、流入口７からの圧力水は、第１及び第２のリングパッキン３０、８によって止水されている。第２のリングパッキン８に比べて第１のリングパッキン３０の方が受圧面積が大きいので一度シールされると、ノズルをいれない限り（圧力差を壊さない限り）漏れはない。
以上、この実施例によれば、止水弁が流路に影響の少ないところに設置されているので、本体形状がスリムになり、しかも損失水頭が低くなる。また、止水弁に弾性体などのリングパッキンを用い、且つ、止水弁を押し上げる手段をも備えているので止水性を高くすることができる。
【００１５】
次に、図５を参照して第２の実施例を説明する。
図５は、水抜栓の逆止弁作動時（断水時）の部分正面断面図である。この実施例では、図１に示す水抜栓に逆止弁を付加したものである。逆止弁３１は、操作ロッド２７に取り付けられたノズル４にスプリング３３（逆止弁を所定の位置に押し付ける手段）とともに嵌め込まれ、止水弁５及びリングパッキン１０を有する弁の上に配置し、流出口１３に近い通水路２６中に配置される。このとき、操作ロッド２７を押し上げて水抜き状態にすると、逆止弁３１は、通水路２６中に宙吊りになってその機能を何等果たさない。操作ロッド２７を押し下げてリングパッキン１０を有する弁を開いて通水状態にすると、逆止弁３１は、通水路２６を遮断する形になるが、一次側の水圧によって自在に移動して通水状態は維持される。しかし、逆止弁３１は、スプリング３３の押圧の作用によって元の位置に戻ろうとする。
【００１６】
この状態で断水になって流入口７に負圧が生じると、流出口１３側の水が逆流しようとするが、生じた負圧とスプリング３３の押圧により、既に逆止弁３１は通水路２６を閉塞しているので、逆流しようとする水が止水弁５や流入口７側に流れ込むのを阻止することができる。
このように、この実施例では、第１の実施例と同様な作用効果を有するに加えて、逆止弁を内蔵したことにより、断水などの事故に対して十分対応することができる。
【００１７】
次に、図６乃至図９を参照して第３の実施例を説明する。
図６は、弁の開閉装置の正面図、右側面図、Ｂから見た側面図及び平面図、図７は、弁の開閉装置の正面断面図、右側面断面図、背面断面図、正面断面図のＡ−Ａ′線断面図及び底面図、図８は、図７に示す弁の開閉装置の動作を表わした正面断面図及び図９は、この開閉装置を第１もしくは第２の実施例に示された水抜栓の操作ロッドに接続した状態を示す正面断面図である。
この実施例に係る弁の開閉装置は、上下動する操作レバー１５と、操作レバーにより駆動され、被操作体（操作ロッド２７）を移動させるピストン３５と、操作レバー及びピストンを収納するカバー３４を備えている。操作レバーの上下動と同時にピストンが被操作体を直接駆動させる。部品点数が少なくなり、操作性が向上し、組み立ての容易性を含めてコストが低減する。また操作レバーとピストンとを収納するカバーをピストンと断面形状を方形合せにすることにより横振れを無くして操作の安定性を向上させることができる。
前記カバー３４は、上面を封じた方形筒状体であり、内部にピストン３５及びスプリング４２を具備している。また、一側面には前記レバー１５の操作時にレバー１５の通道となる縦スリット４５を具備している。
【００１８】
ピストン３５は、断面形状が方形であり、カバー３４と断面形状が方形合わせで配置されている。ピストン３５の下端は、接続継手４３を介し、例えば、水抜栓の操作ロッド２７に接続される（図９参照）。ピストン３５はその内部底面に平行な溝３６と、内部側面に平行な溝３７とを有している。ピストン３５とカバー３４とが断面形状を方形合わせで接していることからピストンの動きに伴う横振れを防ぐことができる。
弁の開閉装置を操作するレバー１５は、一端に２つの穴をほぼ縦列に具備しており、上穴（第２の穴）４６にピン３８を下穴（第１の穴）４７にピン３９を挿入配置している。ピン３８を前記溝３７に、またピン３９を前記溝３６にそれぞれ挿入するようにレバー１５がピストン３５に配設されている。レバー１５の他端は操作用の握り４０となっており、この握り４０は、前記カバー３４の一側面の縦スリット４５より外部に位置している。レバー１５が配設されている状態では、握り４０が上を向いている。スプリング４２は、その一端を、レバー１５の下端に当接させ、他端をピストン３５内部底部に当接させて、レバー１５が垂直状態を維持するように、ピン４１によりピストン３５に取り付けられている。
【００１９】
この弁の開閉装置は、水抜栓などに取り付けて、その操作ロッド２７を上下移動させるものである。この操作ロッド２７を移動させるためには、カバー３４内のレバー１５を押し下げ／押し上げを行う。すなわち、レバー１５をスプリング４２の押圧力に抗して縦スリット４５に沿って下に押し下げると、前記下穴４７に取り付けられたピン３９が前記内部底面に平行な溝３６を摺動し、前記上穴４６に取り付けられたピン３８により前記内部側面に平行な溝３７が摺動してピストン３５をカバー３４内において上方に押し上げることができ、レバー１５を上に押し上げるとピストン３５を下方に押し下げることができる。このように、ピストン３５は、レバー１５の操作によってカバー３４内を移動するが、この移動が可能なためには、レバー１５がなんらかの形でカバー３４に固定されていなければならない。ところでピン３８はカバー３４に取り付けられている（図６（ａ）、（ｃ）参照）。したがって、ピン３８は、レバー１５の上穴４６に挿入配置されているので、レバー１５とカバー３４とを固定していることになる。
【００２０】
前記レバー１５を前記スプリング４２の押圧力に抗して前記縦スリット４５に沿って下に押し下げると、前記下穴４７に取り付けられたピン３９が前記内部底面に平行な溝３６を摺動し、前記第上穴４６に取り付けられたピン３８により前記内部側面に平行な溝３７が摺動して前記ピストン３５を前記カバー３４内において上方に押し上げる。
図６及び図８に示すように、レバー１５は、ピン３８によりカバー３４に固定され、ピン３８を支点にしてピン３９が取り付けられている先端部分が移動するような構造になっている。ピン３８はカバー３４に物理的に固定されており（カバー３４に付した３８という丸印はその固定を意味している）、ピン３９はカバー３４に固定されておらず、そして、ピン３９は、ピストン３５に形成された溝を摺動し、ピン３８は、溝の方が摺動していることを意味している。
【００２１】
次に、図８を参照して本発明の弁の開閉装置の動作を説明する。
図８（ａ）に示す様に、レバー１５がこの通常状態を保てるのは、レバー１５下端に、スプリング４２の押力が外側へ向けて働いているためであり、従って、ピストン３５は、カバー３４の下端に位置した状態を維持することができる。つまり、弁の開閉装置は、被操作体（操作ロッド）を最下位まで押し下げている状態にある。この状態からレバー１５を倒し始め図８（ｂ）の位置まで持ってくる。この時、握り４０の動作に合わせ、溝３７は、下方から上方へ、ピン３９は、溝３６の右方から左方へ移動する。ピン３９の移動により、スプリング４２の、レバー１５下端に接触している部分が押され、スプリング４２の両端間が狭まり、ピストン３５が上昇する（図８（ｂ））。さらに、レバー１５を移動させて下限まで操作すると、溝３７は、上方へさらに移動し、ピストン３５は、カバー３４の内部上端まで移動する。
この時、レバー１５の操作の支点となるピン３８とピン３９の移動に伴い、スプリング４２の押力がレバー１５下端を押し上げる働きに変わるため、レバー１５はその押す力によってその状態を保つことができる。ピストン３５は、カバー３４内部の上端に当接した状態となり、操作ロッドを上げた状態を維持し続けることができる（図８（ｃ））。
【００２２】
図９は、この弁の開閉装置を水抜栓に接続した状態を示している。
弁の開閉装置２９のピストン３５の下端は、接続継手４３を介し水抜栓の操作ロッド２７に接続されている。したがって、レバーの握り４０が上を向いている図に示す状態のときは、ピストン３５は、操作ロッド２７を最下位に押し下げている（図８（ａ）参照）。また、レバーの握り４０を図８（ｃ）に示すように下方に下げると、操作ロッド２７は、最上位に引き上げられる。操作ロッド２７が最下位に存在するときは、図１又は図５の流入口７と流出口１３は、通水路２６を通して通じており、通水状態にある。この操作ロッド２７が最上位に引き上げられると、操作ロッド２７の下方に位置する弁のリングパッキン１０により通水路２６が塞がれて通水を停止する（閉栓）。
以上の様に、この実施例では、本体形状がスリムになり、しかも損失水頭が低く、また、止水性が高くなると共に、弁の開閉装置の部品点数が少なくなり、操作性が向上し、組み立ての容易性を含めてコストが低減する。また操作レバーとピストンとを収納するカバーをピストンと断面形状を方形合せにすることにより横振れを無くして操作の安定性を向上させることができる。
【００２３】
【発明の効果】
本発明によれば流路に影響の少ないところに止水弁が設置されているので、本体形状がスリムになり、しかも損失水頭が低くなる。また、止水弁に弾性体などのリングパッキンを用い、且つ、止水弁を押し上げる手段をも備えているので止水性を高くすることができる。さらに、本発明では、弁の開閉装置の部品点数が少なくなり、操作性が向上し、組み立ての容易性を含めてコストが低減し、また、操作レバーとピストンとを収納するカバーをピストンと断面形状を方形合せにすることにより横振れを無くして操作の安定性を向上させることができる。また、排水用の逆止弁をノズルに内蔵したので本体形状がさらにスリムになる。
【図面の簡単な説明】
【図１】本発明の第１の実施例に係る水抜栓の正面断面図。
【図２】図１の水抜栓の通水時における部分正面断面図。
【図３】図１の水抜栓の水抜時における部分正面断面図。
【図４】図１の水抜栓の補修時における部分正面断面図。
【図５】本発明の第２の実施例における水抜栓の逆止弁作動時（断水時）の部分正面断面図。
【図６】本発明の第３の実施例における弁の開閉装置の正面図、右側面図、Ｂから見た側面図及び平面図。
【図７】図６における弁の開閉装置の正面断面図、右側面断面図、背面断面図、Ａ−Ａ′断面図及び底面図。
【図８】図６における弁の開閉装置の動作を表わした正面断面図。
【図９】図６における弁の開閉装置を水抜栓に接続した状態を示す部分正面断面図。
【図１０】従来の水抜栓の部分正面断面図。
【符号の説明】
１、１０１・・・本体、    ２・・・回転本体、
３、４、１０７、１０８・・・ノズル、    ５、１０５・・・止水弁、
６・・・キャップ、    ７、１１３・・・流入口、
８、１０、３０、１１８、１２１・・・リングパッキン、
９、３３、４２・・・スプリング、    １２、１２９・・・球弁、
１３、１１９・・・流出口、    １４・・・砂止めカバー、
１５・・・レバー、    ２５、１２０・・・排水口、
２６、１１５・・・通水路、    ２７、１１１・・・操作ロッド、
２８、１１０・・・外筒、    ２９・・・弁の開閉装置、
３１・・・逆止弁、    ３４・・・カバー、    ３５・・・ピストン、
３６・・・内部底面に平行な溝、    ３７・・・内部側面に平行な溝、
３８、３９、４１・・・ピン、  ４０・・・握り、  ４３・・・接続継手、
４５・・・縦スリット、    ４６・・・上穴、    ４７・・・下穴、
１０２・・・エルボ、    １０３・・・ニップル、
１０４・・・回転胴、    １１６・・・逆止弁本体、
１１７・・・逆止弁蓋。
【図１】
0003731880.tif 000002
【図２】
0003731880.tif 000003
【図３】
0003731880.tif 000004
【図４】
0003731880.tif 000005
【図５】
0003731880.tif 000006
【図６】
0003731880.tif 000007
【図７】
0003731880.tif 000008
【図８】
0003731880.tif 000009
【図９】
0003731880.tif 000010
【図１０】
0003731880.tif 000011